(57)【要約】【課題】  ユーザの業務用施設や住宅等の施設内の電気機器の制御、使用電力量の制御、室内環境の監視等についてユーザ本位の省電力機能を有し、それによって省コスト提供すると共に省エネによる二酸化炭素削減に大きく貢献する社会的意義を有する省電力機能を備えたセキュリティシステムを提供する。【解決手段】  施設10内において発生した異常を検知する異常検知センサ141と、施設10において使用される電気機器13a,13bに供給される電力量を計測する電力量計測ユニット133と、電気機器13a,13bの動作を監視し制御する省電力制御ユニット131,132と、施設10における電気機器13a,13bの動作状況、警備状況、電力使用量情報等の各種の情報を通信回線50を介して接続されたサーバ20に送信すると共に、電気機器13a,13bに対する制御要求をサーバ20から受け取り、それに基づいて電力量計測ユニット133及び省電力制御ユニット131,132の動作を制御するコントローラ11とを含み構成されたことを特徴とする。【選択図】  図１
2008077185.tif 000002
【特許請求の範囲】
【請求項１】
業務用施設や住宅等の警備対象となる施設に配置され、第三者の侵入、ガス漏れ、火災といった当該施設内において発生した異常を検知するための異常検知センサと、
前記施設において使用される各種の電気機器に供給される電力量を計測する電力量計測ユニットと、
前記施設において使用される前記電気機器ごとに配置され、当該電気機器の動作を監視し制御する省電力制御ユニットと、
前記施設における前記電気機器の動作状況、警備状況、電力使用量情報といった各種の情報を前記異常検知センサ、前記電力量計測ユニット及び前記省電力制御ユニットから受け取り、それを通信回線を介して接続されたサーバに送信すると共に、前記電気機器に対する制御要求を前記サーバから受け取り、それに基づいて前記電力量計測ユニット及び前記省電力制御ユニットの動作を制御するコントローラと、
を含み構成されたことを特徴とする省電力機能を備えたセキュリティシステム。
【請求項２】
請求項１に記載の省電力機能を備えたセキュリティシステムにおいて、
さらに、温度や湿度といった当該施設内における室内環境を測定する環境測定センサを備え、
前記環境測定センサによって測定された環境測定情報は前記コントローラによって前記通信回線を介して前記サーバに送信されるようにされたことを特徴とする省電力機能を備えたセキュリティシステム。
【請求項３】
請求項１又は２に記載の省電力機能を備えたセキュリティシステムにおいて、
前記サーバは、前記コントローラから送られてきた、前記電気機器の動作状況、警備状況、電力使用量情報といった各種の情報をユーザの端末機器に対して提供する情報提供手段を備えていることを特徴とする省電力機能を備えたセキュリティシステム。
【請求項４】
請求項２又は３に記載の省電力機能を備えたセキュリティシステムにおいて、
前記サーバは、さらに、ユーザの前記端末機器によって監視対象である前記施設における前記電気機器の動作状況、警備状況、電力使用量情報、環境測定情報といった情報をウェブページ上で確認可能なウェブコンテンツを提供するウェブページ用データを格納したウェブサーバ機能を備えていることを特徴とする省電力制御機能を備えたセキュリティシステム。
【請求項５】
請求項４に記載の省電力機能を備えたセキュリティシステムにおいて、
前記電気機器に対する制御要求及び／又は電力使用量情報や環境測定情報の更新を前記サーバが提供するウェブページ上において行なうことができるようにされたことを特徴とする省電力制御機能を備えたセキュリティシステム。
【請求項６】
請求項１から５のいずれか１項に記載の省電力機能を備えたセキュリティシステムにおいて、
前記コントローラは、前記端末機器から前記サーバを介して送信されるユーザの指令に基づき、予め予約したスケジュールに基づいて前記省電力制御ユニットを動作させるスケジュール機能を備えていることを特徴とする省電力制御機能を備えたセキュリティシステム。
【請求項７】
請求項１から６のいずれか１項に記載の省電力機能を備えたセキュリティシステムにおいて、
前記コントローラは、前記端末機器から前記サーバを介して送信されるユーザの指令に基づいてオンデマンドで前記省電力制御ユニットを動作させることが可能とされたことを特徴とする省電力機能を備えたセキュリティシステム。
【請求項８】
請求項１から７のいずれか１項に記載の省電力機能を備えたセキュリティシステムにおいて、
前記コントローラは、警備の開始及び終了に伴って前記省電力制御ユニットを動作及び停止させるようにしたことを特徴とする省電力機能を備えたセキュリティシステム。
【請求項９】
請求項８に記載の省電力機能を備えたセキュリティシステムにおいて、
さらに、認証ユニットを備えて構成され、
前記認証ユニットは、ＩＤ及びパスワード等の認証情報によって警備の開始及び終了を制御する機能を有することを特徴とする省電力機能を備えたセキュリティシステム。
【請求項１０】
請求項１から９のいずれか１項に記載の省電力機能を備えたセキュリティシステムにおいて、
前記認証ユニットの認証情報により、さらに、当該施設内へ出入りする者の入退室の状況の管理を行うことを特徴とする省電力機能を備えたセキュリティシステム。
【発明の詳細な説明】
【技術分野】
【０００１】
本発明は、省電力機能を備えたセキュリティシステムに関し、さらに詳しくは、警備機能はもちろん、警備対象となるユーザの業務用施設又は住宅等に設置された種々の設備機器や電気機器類を監視・制御して高い省電力を実現することを可能とする省電力機能を備えたセキュリティシステムに関する。
【背景技術】
【０００２】
近年、電気機器を、家庭内に設置されたコントローラと接続し、携帯電話等の通信端末を利用して家庭外から前記コントローラにアクセスし、エアコンや照明器具といった電気機器を制御するシステムが開発され商品化されている。
例えば、そのような携帯電話ホームコントロールシステムとして特許文献１（特開２００１−１２７８９７号公報）に記載されたものがある。特許文献１のホームコントローラは、携帯電話からの制御信号を受信し、前記信号より、電気機器の種別と制御内容を分析し、分析結果に対応する当該電気機器を制御するとともに、当該電気機器の動作状況を、前記携帯電話に返信する機能を有して構成されている。そして、前記電気機器の異常動作が発生した場合には、前記ホームコントローラは所定の通報先へアラームを送信する機能を備えている。
【０００３】
一方、近年では業務用施設だけでなく、戸建て住宅やマンション等の一般住宅においてもセキュリティシステムを導入するユーザが増加している。セキュリティシイステムにはユーザの家宅に不正侵入者を検知するセンサを配置し、センサが異常を検知した際には、当該セキュリティシステムの制御装置によって、契約している警備会社に通報がなされるもの或いはユーザ自身にも通報がなされるものなど、さまざまなタイプのセキュリティシステムが提案されている。
【０００４】
また、電話回線やインターネットを介して当該セキュリティシステムのＯＮ／ＯＦＦ又は発報等、各種の操作も可能とされたなセキュリティシステムも提案されている。特許文献２（特開２００５−３３３０５号公報）に示されたセキュリティシステムでは、外出先から携帯電話を操作して、当該セキュリティシステムのＯＮ／ＯＦＦを行うことができることに加え、ガス・水道・電気等のメータ装置の動作状況を管理し、異常があった場合には、それらの供給の制御を行うことが可能となっている。
【０００５】
ところで、近年では省エネ・エコそして二酸化炭素の排出削減が世界中の人々の関心事となってきており、さまざまな省エネルギーシステムが提案されている。例えば、特許文献３（特許公開２００５−３０８７２９号公報）ではユーザの住宅における使用電力を監視して、種々の集計等を行い、その処理結果をユーザに開示して使用電力の節約等を可能にするための種々の情報を提供する省エネルギーシステムが開示されている。この省エネルギーシステムは、ユーザの電力設備に電力量の検出部を設け、電力料金の算出等その他の処理は、監視サーバで行うことにより低コストで省エネルギーを実現させようとするものである。
【０００６】
【特許文献１】特許公開２００１−１２７８９７号広報
【特許文献２】特許公開２００５−３３３３０５号広報
【特許文献３】特許公開２００５−３０８７２９号広報
【発明の開示】
【発明が解決しようとする課題】
【０００７】
しかし、従来の警備機器（ホームセキュリティ機器も含む）は、ユーザの業務用施設や住宅等に不正侵入が検出された場合にそれをユーザが契約した警備会社に通報することにより業務用施設や住宅等の警備を行い、それによって防犯の意義をなしてきた。そこでの機能は異常検知のみを目的としており、それ以外のユーザのニーズにはなにも応えていなかった。一方、電気機器を個別に制御する省エネルギーシステムや、使用電力量を検出し、その情報をユーザに提供する省エネルギーシステム等はあるが、それらも本来の目的を超えて、ユーザのニーズに応えるものではなかった。
【０００８】
本発明は上述のような背景においてなされたものであり、以下の目的を達成することを目的とする。すなわち、本発明は、警備機器としての機能は言うに及ばず、警備対象であるユーザの業務用施設や住宅等の電気機器の制御、使用電力量の制御、室内環境の監視等についてユーザ本位の省電力機能を有し、それによってユーザに省コスト提供し、さらに省エネによる二酸化炭素削減に大きく貢献する社会的意義を有する省電力機能を備えたセキュリティシステムを提供することを目的とする。
【０００９】
また、省エネルギーシステムとセキュリティシステムとを同時に設置する場合でも警備対象であるユーザの業務用施設や住宅等の施設に設置する機器を必要最小限に抑え、機器の設置負担が少ない省電力機能を備えたセキュリティシステムを提供することを目的とする。
【課題を解決するための手段】
【００１０】
上記課題を解決するために請求項１に記載の本発明は、業務用施設や住宅等の警備対象となる施設に配置され、第三者の侵入、ガス漏れ、火災といった施設内において発生した異常を検知するための異常検知センサと、施設において使用される各種の電気機器に供給される電力量を計測する電力量計測ユニットと、施設において使用される電気機器ごとに配置され、電気機器の動作を監視し制御する省電力制御ユニットと、施設における電気機器の動作状況、警備状況、電力使用量情報といった各種の情報を異常検知センサ、電力量計測ユニット及び省電力制御ユニットから受け取り、それを通信回線を介して接続されたサーバに送信すると共に、電気機器に対する制御要求をサーバから受け取り、それに基づいて電力量計測ユニット及び省電制御ユニットの動作を制御するコントローラとを含み構成されたことを特徴とする省電力機能を備えたセキュリティシステムを提供する。
【００１１】
警備対象となるユーザの業務用施設や住宅等の施設に防犯センサや火災報知機等の防災機器を含む各種の異常検知センサを設置すると共に、ブレーカあるいは個別のコンセントに使用電力量を測定する電力量計測ユニットと各電気機器の動作を監視し制御する省電力制御ユニットを設置し、また、異常検知センサ、電力量計測ユニット及び省電力制御ユニットから警備状況、電気機器等の動作状況、使用電力量等の情報を第１の信号として受信するコントローラを設置する。そして、コントローラはこの第１の信号に基づいて第２の信号を作成し、それらの情報をサーバに送信する。各種の情報をサーバで管理するので施設内には必要最小限の機器のみを設置すれば足り、機器の設置場所に困ることはない。
また、サーバは、コントローラに対するコマンド信号を作成して送信する機能を実現する機能を備えており、サーバから送られるコマンド信号に基づいてコントローラは電力量計測ユニット及び省電制御ユニットの動作を制御する。
【００１２】
上記課題を解決するために請求項２に記載の本発明は、請求項１に記載の省電力機能を備えたセキュリティシステムにおいて、さらに、温度や湿度といった施設内における室内環境を測定する環境測定センサを備え、環境測定センサによって測定された環境測定情報はコントローラによって通信回線を介してサーバに送信されるようにされたことを特徴とする。
【００１３】
第三者の侵入、ガス漏れ、火災といった当該施設内において発生した異常を検知するための異常検知センサの他に、温度や湿度といった施設内における室内環境を測定する環境測定を行うセンサである環境測定センサを設ける。例えば、所定の環境の下での保管を必要とする商品を保管する倉庫等において室内温度が異常に高温となったり、湿度が高くなったような場合にもそれを検知すると共に、エアコンに対する制御を行なうことができる。他にも、測定された施設内の温度や湿度に基づいてサーバからコントローラに制御信号を送り、電気機器、例えば、エアコンを外出先から制御してユーザの帰宅時には室内が快適な温度になっているように予め調整しておくというような使い方をすることも可能である。
【００１４】
上記課題を解決するために請求項３に記載の本発明は、請求項１又は２に記載の省電力機能を備えたセキュリティシステムにおいて、サーバは、コントローラから送られてきた、電気機器の動作状況、警備状況、電力使用量情報といった各種の情報をユーザの端末機器に対して提供する情報提供手段を備えていることを特徴とする。
【００１５】
サーバには各種のプログラムが格納されており、それらのプログラムの中には、施設内に設置された各種の電気機器の動作状況、使用電力量、警備状況等をユーザの携帯電話等の携帯端末機に知らせる機能を実現するプログラムが格納されている。具体的には、警備対象である施設に設置された異常検知センサが検知した侵入情報や異常情報をコントローラを介して受け取ったサーバは、ユーザの携帯電話等の端末機器にメールや自動音声案内等によってその内容を通報する。また、異常検知センサが異常を検知した場合や室内環境データが異常値を示したような場合にも同様の通報を行なう。尚、異常検知センサが不審者の侵入を検知した場合には自動的に照明を点灯させるようにして侵入者に警告するようにすると良い。
【００１６】
上記課題を解決するために請求項４に記載の本発明は、請求項２又は３に記載の省電力機能を備えたセキュリティシステムにおいて、サーバは、さらに、ユーザの端末機器によって監視対象である施設における電気機器の動作状況、警備状況、電力使用量情報、環境測定情報といった情報をウェブページ上で確認可能なウェブコンテンツを提供するウェブページ用データを格納したウェブサーバ機能を備えていることを特徴とする。
【００１７】
監視対象である施設に設置された異常検知センサや環境測定センサ及び電力量計測ユニットから送られる各種の情報はサーバにある個々ユーザの施設ごとに設けられたウェブコンテンツによって提供され表示される。ユーザは自分の携帯電話等の端末機器でそれを参照することで施設内の状況や任意の期間の電力使用量等を確認することができる。
【００１８】
上記課題を解決するために請求項５に記載の本発明は、請求項４に記載の省電力機能を備えたセキュリティシステムにおいて、電気機器に対する制御要求及び／又は電力使用量情報や環境測定情報の更新をサーバが提供するウェブページ上において行なうことができるようにされたことを特徴とする。
【００１９】
ウェブページ上で提供される施設内の状況や任意の期間の電力使用量を確認したユーザはさらにウェブページ上で各電気機器の制御を行い、また施設内の状況や電力使用量の情報を更新することができる。すなわち、ユーザが自分の携帯電話等の端末機器を使用してサーバが提供するウェブページ上から電気機器等の動作状況、使用電力量、環境、警備状況等を確認するための要求及び／又は電気機器の制御、警備の開始・解除を行うための各種の信号（「第３の信号）という）をサーバに送信すると、サーバは第３の信号に基づいてコマンド信号を作成し、これをコントローラに送信する。そして、コントローラは、コマンド信号の内容を解析し、それによって所定のユニットやセンサを特定し、当該ユニットやセンサにコマンド信号の内容を送信する。さらに、コマンド信号の内容の実行が前記サーバに報告される。サーバにはこのような機能を実現するためのプログラムが格納されている。
【００２０】
上記課題を解決するために請求項６に記載の本発明は、請求項１から５のいずれか１項に記載の省電力機能を備えたセキュリティシステムにおいて、コントローラは、端末機器からサーバを介して送信されるユーザの指令に基づき、予め予約したスケジュールに基づいて省電力制御ユニットを動作させるスケジュール機能を備えていることを特徴とする。
【００２１】
コントローラは、ユーザが無駄と認識した電気機器を監視し制御している省電力制御ユニットに対し、待機電流のカットなど、電気機器の電源操作を警備のＯＮ／ＯＦＦとの連動させて行なうことが可能とされており、より高度な省電力を実現する。
【００２２】
上記課題を解決するために請求項７に記載の本発明は、請求項１から６のいずれか１項に記載の省電力機能を備えたセキュリティシステムにおいて、コントローラは、端末機器からサーバを介して送信されるユーザの指令に基づいてオンデマンドで省電力制御ユニットを動作させることが可能とされたことを特徴とする。
【００２３】
コントローラは、さらに、ユーザが無駄と認識した電気機器を監視し制御している省電力制御ユニットに対し、ユーザの携帯端末からオンデマンドで電気機器の電源操作が可能とされ、より高度な省電力を実現する。
【００２４】
上記課題を解決するために請求項８に記載の本発明は、請求項１から７のいずれか１項に記載の省電力機能を備えたセキュリティシステムにおいて、コントローラは、警備の開始及び終了に伴って省電力制御ユニットを動作及び停止させるようにしたことを特徴とする。
【００２５】
上記課題を解決するために請求項９に記載の本発明は、請求項８に記載の省電力機能を備えたセキュリティシステムにおいて、さらに、認証ユニットを備えて構成され、認証ユニットは、ＩＤ及びパスワード等の認証情報によって警備の開始及び終了を制御する機能を有することを特徴とする。
【００２６】
上記課題を解決するために請求項１０に記載の本発明は、請求項１から９のいずれか１項に記載の省電力機能を備えたセキュリティシステムにおいて、認証ユニットの認証情報により、さらに、施設内へ出入りする者の入退室の状況の管理を行うことを特徴とする。
【発明の効果】
【００２７】
本発明に係る省電力機能を備えたセキュリティシステムによれば、異常情報、室内環境情報、電力使用量情報等の各種の情報をサーバで管理するので警備対象であるユーザの業務用施設や住宅等の施設に設置する機器は必要最小限でよく、セキュリティシステムと省電力システムの両方を設置するとした場合の機器の設置負担が少ないという効果がある。
また、セキュリティシステムにおいて必要となる各種の装置、サーバ、通信回線といった設備を省エネルギーシステムにおいても利用することができるのでセキュリティシステムと省電力システムの両方を設置するとした場合のコスト的な負担を大幅に軽減できるのでより高度な省電力を実現できるという効果がある。
さらに、省エネルギーによる二酸化炭素の削減にも大きく貢献することができるので地球温暖化防止という社会的な意義を実現できるという効果がある。
【発明を実施するための最良の形態】
【００２８】
本発明に係る省電力機能を備えたセキュリティシステムの一実施形態について図面を参照しつつ以下詳細に説明する。図１は本発明に係る省電力機能を備えたセキュリティシステムの一実施形態の概要を示すブロック図である。図２は家宅内に設置される機器の概要を示すブロック図である。図３はコントローラの構成を示すブロック図である。図４はサーバの構成を示す概念図である。図５は本発明に係る省電力機能を備えたセキュリティシステムの一実施形態の動作の概要を示すフローチャートである。
【００２９】
初めに、省電力機能を備えたセキュリティシステム１は、図２に示すように、概略として警備対象となるユーザの業務用施設や住宅等の施設である家宅１０（図１参照）内に設置されるコントローラ１１と、ユニット群１３と、センサ群１４を備えている。ユニット群１３は、省電力制御ユニットである省電力ユニット１３１及びコントロールユニット１３２の２つのユニットと、電力量計測ユニット１３３と、認証ユニット１３４を含んで構成され、センサ群１４は、環境測定センサ１４１と、防犯センサ１４２を含んで構成されている。ユニット群１３を構成する各種ユニット１３１〜１３４は、コントローラ１１に制御用ケーブルで接続されている。
また、本セキュリティシステム１は、図１に示すように、インターネット５０を介してコントローラ１１と通信可能なサーバ２０と、無線通信網６０を介してサーバ２０と通信可能な携帯端末機３０、４０を備えている。
【００３０】
ユニット群１３は、省電力制御ユニットとしての省電力ユニット１３１とコントロールユニット１３２、さらに、電力量計測ユニット１３３と、認証ユニット１３４を有して構成されている。
省電力ユニット１３１は、通常のＡＣ１００Ｖコンセントの上に取り付けられるコンセントであり、コントローラ１１からの制御信号に基づいて電力供給のＯＮ／ＯＦＦを制御する。また、省電力ユニット１３１の制御状態（電力供給のＯＮ／ＯＦＦのいずれかの状態）にかかわらず、マニュアルスイッチでの電力供給のＯＮ／ＯＦＦを行なうことができるようになっている。省電力ユニット１３１には、例えば、照明機器、換気扇等の電気機器１３ａの電源コードが接続され、接続されたそれらの電気機器の制御状態を示すステータスデータをコントローラ１１に送ると共に、コントローラ１１によって電力供給のＯＮ／ＯＦＦが制御されるようになっている。尚、図２において省電力ユニット１３１は便宜上１つだけを示しているが複数配置することができるのはいうまでもない。
【００３１】
これに対して、例えば照明器具のように、壁面に配置された壁面スイッチによってＯＮ／ＯＦＦを操作するような電気機器１３ａの場合には、壁面スイッチと操作したい電気機器１３ａとの間に省電力ユニット１３１を接続することで、当該電気機器１３ａを監視し制御するようにすることができる。
【００３２】
コントロールユニット１３２は、例えば、日本電気工業会のＪＥＭ１４２７（ＨＡ端子、ＪＥＭ−Ａ）規格に対応したユニットあり、同規格等に適合したふろ給湯器、エアコン、電気錠等の電気機器１３ｂのひとつと接続することで、接続された電気機器１３ｂの動作状況を監視し、その情報をコントローラ１１に知らせるとともに、お湯はり、ＯＮ／ＯＦＦ、玄関ドアの施錠開錠等の制御を行う。尚、コントロールユニット１３２も省電力ユニット１３１と同様に複数配置することができる。
【００３３】
電力量計測ユニット１３３は、電力パルスを計測する測定器で、電力計１３３ａを介してブレーカ１３３ｂと接続され、一定期間の電力使用量を出力する。また、各電器機器１３ａ、１３ｂに図示しない電力計を接続し、図示しない電力計測ユニットによって電力使用量を計測して出力するようにすることもできる。そして、この出力されたデータは、制御用ケーブルによってコントローラ１１に送られる。
【００３４】
認証ユニット１３４は、例えば、ＩＤタグにより正当なユーザであるか否かの認証を行い、それによって本セキュリティシステム１のセキュリティの設定、解除を行い、監視・警備のＯＮ／ＯＦＦを行う。例えば、ＩＤタグによって正当なユーザであるか否かを判断させることや、ＩＤとパスワードを入力させることで正当なユーザであるか否かを判断させるような構成とすることができる。また、入力されるＩＤ情報によってユーザ個々人を１:１で関連づけることで、いずれのユーザによってセキュリティの設定、解除が行なわれたかをその時間と共に後述するコントローラ１１のＲＡＭ１１５に記録保存することによりユーザ個々人の家宅１０内への入退室管理を行なうことができる。
【００３５】
次に、センサ群１４を構成する環境測定センサ１４１は、ユーザの家宅１０の室内温度や湿度等の環境データを測定する温度計や湿度計等の測定器である。環境測定センサ１４１により測定されたデータは、制御用ケーブルを介してコントローラ１１に送られる。
【００３６】
一方、センサ群１４を構成する防犯センサ１４２は、家宅１０内の異常を検知するセンサである。防犯センサ１４２は、例えば、マグネットセンサ、パッシブセンサ、ガラス破壊センサ、火災報知器、ガス検知器、インターホン等が含まれ、接点入力としてコントローラ１１に接続される。ここで、マグネットセンサは、２つの磁性体が接触状態にあるか分離状態にあるかを検知することにより扉の開閉状態を検知して第三者の侵入を監視する。また、パッシブセンサは、熱線や赤外線を検知することにより室内で活動する侵入者を検知する。さらに、ガラス破壊センサは、不審者がガラスに触れることによって生じる振動やガラスの破壊又は破壊音を検知する。その他のセンサとしては、検知部に加わる圧力を検知する圧力センサ、超音波センサ、赤外線センサ、マイクロ波センサ等、各種のセンサがある。本実施形態においては防犯センサ１４２には、火災報知機、ガス検知器、水漏れ検知器、漏電検知器といった各種の防災機器も含まれる。
そして、環境測定センサ１４１及び防犯センサ１４２はそれぞれコントローラ１１と接続され、その作動状況はステータスデータとして適宜コントローラ１１に送られるようになっている。尚、環境測定センサ１４１及び防犯センサ１４２はそれぞれ複数設置することができる。
【００３７】
次に、コントローラ１１は、家宅１０内の電気機器１３ａ、１３ｂ、電力計１３３ａ等を監視し、操作するための制御装置で、サーバ２０からの指示により電気機器１３ａ、１３ｂ、電力計１３３ａ等の動作状況を取得して、そのデータをインターネット５０を介してサーバ２０に送信すると共に、サーバ２０から送信されてきたコマンドやデータに基づいて各電気機器１３ａ、１３ｂを操作する機能を有している。コントローラ１１とサーバ２０との通信は、例えば、インターネット５０接続の他、従来の固定回線（ＩＳＤＮ）、無線回線（ＰＨＳ等）の各種の通信回線を用いることができる。そして、それら３系統の通信回線うち２以上の通信回線を利用することにより通信の二重化による確実な通信を実現し、電源断等の万一のときの通信断絶を防止すると良い。また、無線回線（ＰＨＳ等）については、ブレーカ１３３ｂからの電源供給が断たれても機能する再充電可能なバッテリでバックアップされたものであると良い。尚、コントローラ１１は、インターネット５０への接続する環境が整備できない場所では、無線回線（ＰＨＳ等）や固定回線（ＩＳＤＮ等）を経由してサーバ２０と接続される。
【００３８】
図３に示すのは、コントローラ１１の概要を示すブロック図である。図示されているように、コントローラ１１は、入出力部１１１、Ｉ／Ｏ制御部１１２、表示器１１３、ＣＰＵ１１４、ＲＡＭ１１５、ＲＯＭ１１６を備えて構成されているいる。
【００３９】
入出力部１１１は、ＲＪ−４５用端子１系統、ＲＪ−１１用端子１系統、接点入力端子５ｃｈ、接点出力端子１ｃｈを備えている。
ＲＪ−４５用端子は、ルータ１２とＥＴＨＥＲＮＥＴ（登録商標）ケーブルで接続されており、サーバ２０と通信を行うための端子である。
ＲＪ−１１端子は、ユニット群１３および環境測定センサ１４１とＣＡＴ５・４芯ケーブルで接続され、ユニット群１３および環境測定センサ１４１と通信を行うためのものである。
接点入力５ｃｈは、防犯センサ１４２を接続するための端子であり、接点出力１ｃｈは、フラッシュライト、サイレン、スピーカ、撮影用のビデオカメラ、赤外線カメラ等の外部機器１５と連携させるための端子である。
【００４０】
ユニット１３１〜１３４及び環境測定センサ１４１は、それぞれケーブル接続用のＲＪ−１１端子２系統を備えており、この２系統の端子にＩＮ用とＯＵＴ用のケーブルを接続することで、ユニット１３１〜１３４及び環境測定センサ１４１は延縄式に連結されるようになっている。そして最近端のものがコントローラ１１に接続される。
【００４１】
Ｉ／Ｏ制御部１１２は、コントローラ１１と接続されているルータ１２、ユニット１３群、センサ群１４との間におけるデータ通信を制御する。
表示器１１３は、コントローラ１１の動作状況、ユーザに必要なデータを表示するためのものである。例えば、コントローラ１１と接続されているルータ１２、ユニット１３群、センサ群１４との通信状態をＬＥＤの点滅状態によって示すように構成されている。
【００４２】
コントローラ１１は、ユニット１３１〜１３４及び環境測定センサ１４１と接続されるとき、バスライン線を伝送ラインとして使用する。Ｉ／Ｏ制御部１１２から延びるこのバスライン線を途中から分岐させて、各ユニット１３１〜１３４及び環境測定センサ１４１の制御部をこのバスライン線に接続している。即ち、各被制御機器の制御部は、このバスライン線にぶら下がる形態となっている。伝送制御はＩ／Ｏ制御部１１２が主導権を握っており、Ｉ／Ｏ制御部１１２から被制御機器の制御部への下り送信期間と、被制御機器の制御部からＩ／Ｏ制御部１１２への上りの送信期間とを交互に設けている。そして、下り送信および上り送信に際しては、下り送信の送信先も上り送信の送信元も、Ｉ／Ｏ制御部１１２が決定するとともに、この送信先あるいは送信元の被制御機器の制御部を順次切替えて、下り送信あるいは上り送信を行うことにより、すべての被制御機器の制御部と交信を行うことができる。このような制御方式をとっているので、各ユニット１３１〜１３４および環境測定センサ１４１の接続順序は任意である。
【００４３】
ＣＰＵ１１４は、ＲＯＭ１１６に格納されている各種のプログラムによって、コントローラ１１の全体を動作させるための中央処理装置である。
ＲＡＭ１１５は、ＲＯＭ１１６に格納されているプログラムが動作中に必要なデータや本セキュリティシステムの動作状況等のデータを格納するためのメモリである。ＲＡＭ１１５内には、コントローラ１１と接続されているユニット１３１〜１３４及び環境測定センサ１４１との通信に必要なデータ等が格納される。
ＲＯＭ１１６は記憶装置であり、コントローラ１１を制御するための各種のプログラムが格納されている。これらのプログラムによってコントローラ１１は、例えば、ルータ１２、ユニット１３群、センサ群１４、サーバ２０との通信等を行なう。尚、その具体的な動作については後述するセキュリティシステムの動作の説明において説明することとし、ここでの説明は省略する。
【００４４】
ルータ１２は、インターネット５０に接続するためのもので、サーバ２０とコントローラ１１との通信を可能にする。周知の機器であり、その説明は省略する。
【００４５】
次に、携帯端末機３０、４０は、家宅１０のオンライン監視、制御を行うユーザが所有し、サーバ２０と通信可能な電子端末機器である。以下、携帯端末機３０、４０は、別途の説明がない限り、携帯電話機を前提に記述する。
携帯端末機３０、４０は、携帯電話、ＰＨＳ電話サービスを提供する無線通信網６０を介して基地局６１に接続可能であり、無線通信網６０を運営するキャリアが提供するインターネット接続サービスを利用しサーバ２０とデータ通信を行うことができる。また、携帯端末機３０、４０は、インターネット５０上のウェブページを閲覧可能な画面３１を有している。
【００４６】
次に、サーバ２０は、コントローラ１１から送信されてくるデータを蓄積し、ユーザの携帯端末機３０、４０と連絡をするための電子計算機である。サーバ２０は、コントローラ１１とユーザの携帯端末機３０、４０と通信可能な環境であればどのような場所に設けても良い。
【００４７】
サーバ２０は、いわゆる汎用のコンピュータが有する機器を備えて構成されている。すなわち、図４に示すように、概略として、入出力部２１、インターネット５０や無線通信網６０と通信するための通信用インターフェース２２と、記憶装置２３を備え、記憶装置２３にはプログラム２３１、データベース２３２、ウェブコンテンツ２３３が格納されている。そして、記憶装置２３に格納されているプログラム２３１は、遠隔監視制御プログラム２３１１、メールプログラム２３１２、外部連携用プログラム２３１３を含んでいる。また。サーバ２０は、表示器２４、ＣＰＵ２５、ＲＡＭ２６、ＲＯＭ２７を備えている。
【００４８】
遠隔監視制御プログラム２３１１は、コントローラ１１とのデータ送受信、ウェブコンテンツ２３３とメールプログラム２３１２との間でのデータの送受信を行うプログラムであり、本セキュリティシステム１のメインプログラムである。遠隔監視制御プログラム２３１１は、無線通信網６０とデータの送受信を行う無線通信機能とインターネット５０と通信する機能を有する。また、データベース２３２へアクセスするデータベースアクセス機能等を有する。
メールプログラム２３１２は、ユーザの携帯端末機３０、４０へ送信するためのメールを作成して送信を行なうと共に、メール送信履歴等の管理を行うプログラムである。尚、ユーザの携帯端末機３０、４０対して自動音声案内によって情報を伝えるプログラムも併設することもできる。
外部連携用プログラム２３１３は、本セキュリティシステム１と異なる図示しない他のセキュリティシステムとの間で連携をとる場合に利用されるプログラムである。
【００４９】
データベース２３２は、ユーザ管理テーブル２３２１、パスワード管理テーブル２３２２、ＩＰ管理テーブル２３２３、ＩＤ管理テーブル２３２４、メーカ機器情報テーブル２３２５、メール情報テーブル２３２６、メッセージテーブル２３２７、ウェブページ管理テーブル２３２８を備えて構成されている。
ユーザ管理テーブル２３２１は、ユーザの氏名、管理識別番号、住所、連絡先、電子メールアドレスといったユーザに関するデータが蓄積されている。
パスワード管理テーブル２３２２は、ユーザがウェブページにログインしてその閲覧を許可するか否かの認証を行うためのＩＤ及びパスワードを管理するためのテーブルである。
ＩＰ管理テーブル２３２３は、監視すべきユーザの家宅１０に設置されたルータ１２に割り振られたＩＰアドレスを管理するためのデータを有するテーブルである。ユーザの家宅１０に設置されたルータ１２に割り振られたＩＰアドレスは、必ずしも固定ＩＰである必要はなく、ダイナミックＤＮＳを使用することにより、ＵＲＬアドレスからルータ１２を特定することもできる。
【００５０】
ＩＤ管理テーブル２３２４は、家宅１０内の各ユニット１３１〜１３４および環境測定センサ１４１のそれぞれに与えられた識別番号を管理するためのテーブルである。この識別番号は、全世界でユニークな６４ビットの番号であり、この識別番号で監視制御対象の機器を特定することが可能となる。
メーカ機器情報テーブル２３２５は、ユーザの家宅１０にある各種の電気機器を１３ａ、１３ｂ操作するためのデータからなるテーブルで、電気機器１３ａ、１３ｂを供給しているメーカ、機種、型番等により管理している。
【００５１】
メール情報テーブル２３２６は、ユーザによって登録された電子メールアドレスに対して送受信するメールを管理するためのテーブルである。
メッセージテーブル２３２７は、ユーザが登録した電子メールアドレスに送受信するメールの様式、サンプル等を格納したテーブルである。
ウェブページ管理テーブル２３２８は、ログインページやユーザが監視を行う家宅１０の状況を確認するために作成された、ウェブコンテンツ２３３のウェブページ用のデータを格納したテーブルである。
【００５２】
ウェブコンテンツ２３３は、各ユーザ専用に作成されており、それぞれのユーザがアクセスできるようにされたウェブページ２３３１からなるＨＴＭＬコンテンツである。このユーザのウェブページ２３３１には、ユーザが監視を行う家宅１０、その中にある電気機器１３ａ、１３ｂに関する情報が掲載され、ユーザがこれらの動作状況を携帯端末機３０、４０で確認することができるようになっている。また、管理者用のウェブページ２３３２も設けられており、管理者がこのウェブページから本セキュリティシステム１の管理を行うことができるようになっている。本セキュリティシステム１の管理者は、ウェブページ２３３１から、新規のユーザの登録、各ユーザの電気機器１３ａ、１３ｂの登録等を行なう。
【００５３】
家宅１０の情報についてのウェブページは、インターネット５０に接続されているサーバ２０とは別のコンピュータによって構成した図示しないウェブサーバを設けてそこに開設することもできる。ユーザはこの図示しないウェブサーバが提供するウェブページにアクセスして、家宅１０の電気機器の監視、制御、使用電力用の閲覧、環境データの閲覧、警備の開始、解除要求を行うことができる。本実施形態ではウェブページ機能はサーバ２０内に設けられているものとして説明する。ユーザは携帯端末機３０のブラウザ機能を利用して、ＩＤ、パスワードを用いて個人認証を行い、ユーザ専用のウェブページを閲覧し、その画面の中で、家宅１０のオンライン監視、制御のための設定を行う。
【００５４】
サーバ２０とコントローラ１１との接続は、原則としてインターネット５０を介してＴＣＰプロトコルに基づいて行なわれ、それによってデータの送受信が行われる。ユーザが携帯端末機３０、４０を用いてウェブページ２３３１からサーバ２０に接続し、コントローラ１１に対して確認や制御の要求をするときも、サーバ２０からコントローラ１１に対してＴＣＰプロトコルで接続が行われる。尚、所定の時間の間に、例えば５分間の間データの送受信が行われない場合は、コントローラ１１はＴＣＰプロトコルでの接続を切断する。
【００５５】
サーバ２０とコントローラ１１との間では２通りのデータ通信が行われる。１つは、家宅１０内の防犯センサ１４１により異常を検知した等のときに、コントローラ１１がサーバ２０にその旨のアラーム信号を送信するものであり、他方は、ユーザの指示などによってサーバ２０側からコントローラ１１に送信するコマンドと、このコマンドに対する応答である。コマンドは各電気機器１３ａ、１３ｂのステータスデータの要求、電気機器１３ａ、１３ｂの制御等である。これに対して応答はコントローラ１１側からサーバ２０へ送信される電気機器１３ａ、１３ｂのステータスデータや制御の結果などである。
【００５６】
サーバ２０は、コントローラ１１に対して１つのコマンドを送信し、その応答があるまで待機し、コントローラ１１からの応答を受信したら次のコマンドを送信するポーリング形式をとる。サーバ２０は、コントローラ１１にコマンドを送信し、所定時間内にその応答がなくタイムアウトになった場合は、ユーザが閲覧している携帯端末機３０、４０の画面にエラーメッセージを出し、リトライボタンの表示を行う。ユーザがこのリトライボタンを選択すると、サーバ２０はコマンドを再びコントローラ１１に送信する。
サーバ２０とコントローラ１１とのＴＣＰプロトコル接続がコネクションロスになった場合は、データ通信をしようとしている方がリトライを繰り返す。
【００５７】
コントローラ１１に接続されているユニット群１３及びセンサ群１４についての情報は、コントローラ１１の内部のメモリであるＲＡＭ１１５には一切記憶しない。ユニット群１３及びセンサ群１４についてのすべての情報は、サーバ２０から受信する。そのため、コントローラ１１は起動が行われるとその旨を示すアラーム信号をサーバ２０に送信する。サーバ２０は、このアラーム信号に対して必要なデータとコマンドをコントローラ１１へ送信するようになっている。
【００５８】
以上のように、サーバ２０はインターネット５０や無線回線（ＰＨＳ等）または固定回線（ＩＳＤＮ等）等の通信回線によって家宅１０内のコントローラ１１と接続され、それによってユニット１３群に接続された電気機器１３ａ、１３ｂの動作状況や使用電力量、環境測定センサ１４１からの環境データ、警備状況等の情報を取得してサーバ２０に送信し、サーバ２０上にあるユーザ個々のウェブコンテンツ２３３上に表示する。また、サーバ２０はインターネット５０や無線通信網６０を介してユーザの携帯端末機３０、４０とも接続可能とされ、ユーザからの要求があればサーバ２０はこれらの情報をユーザの携帯端末機３０、４０に送信する。そして、ユーザが監視を行う家宅１０について専用のウェブページがサーバ２０又はインターネット５０に接続された別の図示しないウェブサーバによって開設されており、ユーザはこのウェブページにアクセスすることでオンライン監視、そして制御を行う。ユーザによるこの監視、制御は、オンデマンド、または、あらかじめ予約したスケジュールで行うことが可能である。これにより、ユーザは、警備機能と省電力機能の両立を享受することができる。
【００５９】
次に、上述したセキュリティシステム１の動作の概要について説明する。
まず、図５に示すように、ユーザは家宅１０の電気機器１３ａ、１３ｂの現在の動作状況や使用電力量、環境データ等の情報を知るために携帯端末機３０、４０のインターネット接続機能を利用して、ユーザ専用のウェブページ２３３１にログインしてその内容を閲覧する（ステップＳ１０）。このとき、ユーザはパスワードによるユーザ認証（ステップＳ０）を行う必要がある。ログインが実行されウェブページ２３３１が閲覧可能となったらこのウェブページ２３３１上からサーバ２０の遠隔監視制御プログラム２３１１に対して各電気機器１３ａ、１３ｂの現在の動作状況、使用電力量、環境データを取得するための要求を行う。
【００６０】
ユーザがウェブページ２３３１を閲覧するに際しては携帯端末機３０、４０のブラウザを更新（再読み込み）することによってそのページに表示される電気機器１３ａ、１３ｂの動作状況、使用電力量、環境データの更新を遠隔監視制御プログラム２３１１に対して要求する（ステップＳ１１）。遠隔監視制御プログラム２３１１は、ユーザの携帯端末機３０、４０からの要求を受信すると（ステップＳ１２）、コントローラ１１へ送信するためのコマンドを作成する（ステップＳ１３）。そして、遠隔監視制御プログラム２３１１は、コントローラ１１との間でＴＣＰプロトコル接続を確立し、データの更新を要求を示すコマンドをコントローラ１１に送信し（ステップＳ１４）、その応答が来るまで待機する（ステップＳ１５）。
【００６１】
一方、コントローラ１１は、サーバ２０からのコマンドを受信すると、ＲＯＭ１１６に格納されたプログラムに基づいてその結果をサーバ２０へ返信する。遠隔監視制御プログラム２３１１は、コントローラ１１からの応答を受信すると、応答結果をＨＴＭＬ形式で出力する（ステップＳ１６）。これにより、ユーザが閲覧している携帯端末機３０の画面３１に表示されたウェブページ２３３１上に電気機器１３ａ、１３ｂの動作状況、使用電力量、環境データ等のステータスデータが反映されて表示される（ステップＳ１７）。これにより、ユーザは、家宅１０内の電気機器１３ａ、１３ｂの動作状況、使用電力量、環境データを確認することができる（ステップＳ１８）。そして、ユーザが閲覧している携帯端末機３０のブラウザによって表示されているウィンドウを閉じると、家宅１０内の電気機器の動作状況、使用電力量、環境データの確認が終了する（ステップＳ１９）。
【００６２】
ここで、ユーザが携帯端末機３０によってユーザ専用のウェブページ２３３１にアクセスしたときに携帯端末機３０の画面３１に表示される画面例を図６、図７に示す。図６（ａ）はユーザ認証を行うときの画面例を示している。ユーザはあらかじめデータベース２３２のパスワード管理テーブル２３２２に登録されたＩＤとパスワードを用いてユーザ認証を行う。図６（ｂ）はユーザ認証が成功した場合に表示される「メインメニュー」の画面例を示す。
【００６３】
この画面には、電気機器１３ａ、１３ｂの動作状況、使用電力量、環境データを確認するための操作画面が用意されている。この操作画面の例を図７に示す。図示されているように、操作画面には、ユーザが監視している各電気機器１３ａ、１３ｂの名称が表示されると共に、その動作状況、使用電力量、環境データが表示されている。この画面の案内表示に従って、サーバ２０はコントローラ１１に対してコマンドを送り、省電力ユニット１３１に接続された電気機器１３ａの電源のＯＮ／ＯＦＦを行なう。また、コントロールユニット１３２に接続された電気機器１３ｂの場合にはさらに詳細な指示を送ることができる。これにより、ユーザが無駄と認識した電気機器１３ａ、１３ｂの、例えば、待機電流のカットなどの電源操作をユーザの携帯端末機３０からオンデマンドで操作することができる。このとき、コントローラ１１に対してその動作を開始すべき時刻を指定することもでき、予め予約したスケジュールに基づいて電気機器１３ａ、１３ｂの動作を制御することができる。尚、コントローラ１１がサーバ２０からのコマンドを受信して、その指示に従って処理を行う手順については後述する。
【００６４】
次に、電気機器１３ａ、１３ｂの状況、使用電力量、環境データの定期的な監視とその報告について説明する。図８はユーザに家宅１０の電気機器１３ａ、１３ｂの現在の動作状況、使用電力量、環境データ確認を報告する報告メールを作成してそれをユーザに送信する手順を示すフローチャートである。
まず、サーバ２０の遠隔監視制御プログラム２３１１は、報告メール作成するためにユーザの家宅１０のルータ１２に割り与えられたＩＰアドレスをデータベース２３２のＩＰアドレス管理テーブル２３２３から取得する（ステップＳ２０）。
【００６５】
ＩＰアドレスを取得した遠隔監視制御プログラム２３１１は、コントローラ１１へ送信するためのコマンドを作成する（ステップＳ２１）。そして、遠隔監視制御プログラム２３１１は、取得したＩＰアドレス宛に作成したコマンドを送信する（ステップＳ２２）。コマンドの送信が終わると遠隔監視制御プログラム２３１１はコントローラ１１からの応答が到着するまで待機する（ステップＳ２３）。コントローラ１１から家宅１０内の電気機器１３ａ、１３ｂの現在の動作状況、使用電力量、環境データといったステータスデータを含む応答が到着すると、遠隔監視制御プログラム２３１１は、ユーザの連絡先である携帯端末機３０のメールアドレスをデータベース２３２のメール情報テーブル２３２６から取得する（ステップＳ２４）。そして、メールプログラム２３１２が報告メールの作成を行う（ステップＳ２５）。メールプログラム２３１２は、作成された報告メールをユーザの携帯端末機３０へ送信する（ステップＳ２６）。このようにして、ユーザの携帯端末機３０に対して家宅１０内の電気機器１３ａ、１３ｂの動作状況、使用電力量、環境データを確認するための報告メールの送信をサーバ２０で処理する一連の手順が終了する。この報告メールの例を図９に示す。図９（ａ）は、家宅１０内の電気機器１３ａ、１３ｂに異常があるか否かだけを示す簡単な報告メールの例であり、図９（ｂ）は、家宅１０内の電気機器１３ａ、１３ｂに異常があるか否かを表示すると共に、各電気機器１３ａ、１３ｂの動作状況を細かく示した報告メールの例である。報告メールには、ユーザの氏名７１、家宅１０の簡単な住所７２、確認日時７３、現在状況７４、７５が表示されている。確認日時７３は、家宅１０の電気機器等を確認したときの日時であり、月日時分で表示されている。現在状況７４、７５は家宅１０の電気機器の動作状況、使用電力量、環境データを確認したとき、正常であったか否かを示すデータである。
【００６６】
次に、コントローラ１１がサーバ２０からのコマンドを受信して、その指示に従って処理を行う手順について説明する。図１０はコントローラ１１がサーバ２０からの指示に従って処理を行う手順を示すフローチャートである。
コントローラ１１と接続されているルータ１２は、インターネット５０から家宅１０のＩＰアドレス対して送信されてくるコマンドを常時監視して待機している（ステップＳ３０）。そして、コントローラ１１がコマンド受信すると（ステップＳ３１）、コントローラ１１はＲＯＭ１１６に格納されたプログラムに基づいてそのコマンドの内容を解析する（ステップＳ３２）。コマンドが家宅１０内の電気機器１３ａ、１３ｂのステータスデータを要求する場合には、コントローラ１１はユニット１３１〜１３４又は環境測定センサ１４１に対してステータスデータの要求を行なう（ステップＳ３３）。要求を受けたユニット１３１〜１３４は電気機器１３ａ、１３ｂの電気機器の動作状況、使用電力量のデータをコントローラ１１へ送信し、環境測定センサ１４１は環境データをコントローラ１１へ送信する（ステップＳ３４）。そして、ユニット１３１〜１３４又は環境測定センサ１４１からの返信を受信したコントローラ１１は、サーバ２０から送られたコマンドに対する応答を作成（ステップＳ３５）し、作成したコマンドの応答をサーバ２０へ送信する（ステップＳ３６）。コマンドの応答の送信が終了すると、コントローラ１１は次のコマンドが来るまで待機する（Ｓ３６からＳ３０へ）。このようにして、コントローラ１１での一連の処理が終了する。
【００６７】
次に、家宅１０内への不審者の侵入を検知したときの動作について説明する。図１１は家宅１０内への不審者が侵入を検知したときの処理の手順を示すフローチャートである。ユーザは、家宅１０を留守にするときに本セキュリティシステム１を動作させ、留守設定にする（ステップＳ１０１）。これによりコントローラ１１に接続された防災機器を含む防犯センサ１４２の監視を開始する（ステップＳ１０２）。例えば、ドアや窓に設置された防犯センサ１４１はドアや窓が僅かでも開かれた場合にはそれを検知し、異常のステータスデータを出力するように設定が行なわれる。また、家宅１０内に設置された他の防犯センサ１４１、例えば、赤外線による人感センサや、窓ガラス破壊による超音波で窓ガラスの破壊を検知する超音波センサ等も動作を開始し、異常が検知されれば異常のステータスデータを出力するように設定が行なわれる（ステップＳ１０３）。また、コントローラ１１は、この監視の開始及び終了に応じて省電力ユニット１３１及びコントロールユニット１３２の動作・停止も行なう。尚、監視の開始及び終了と省電力ユニット１３１及びコントロールユニット１３２の動作・停止とを独立して行なわせるようにすることも可能である。
【００６８】
そして、ドアや窓に設置された防犯センサ１４１がドアや窓が開かられたことを検知すると（ステップＳ１０４）、コントローラ１１に対して異常のステータスデータを送り、それを受信したコントローラ１１は、あらかじめ設定された、例えば３０秒間待機し、その間に留守設定が解除されない場合（ステップＳ１０５）、その入出力部１１１に接続された外部機器１５である図示しないビデオカメラを作動させ写真や映像の撮影をする（ステップＳ１０７）。また、入出力部１１１に接続された外部機器１５である図示しないスピーカーからサイレン等の威嚇音を発生させる（ステップＳ１０８）。さらに、防犯センサ１４１からの異常のステータスデータを受信したコントローラ１１は、アラーム信号を生成し、アラーム信号をサーバ２０に送信する（ステップＳ１０９）。アラーム信号を受信したサーバ２０は、メールプログラム２３１２を起動して家宅１０内に異常信号が発生した旨のメールを作成し、ユーザの携帯端末機３０に対して送信する（ステップＳ１１０）。ユーザが、本セキュリティシステム１の留守設定を解除してセキュリティを解除（Ｓ１１１）すると威嚇音の発生を停止する（ステップＳ１１２）。一方、セキュリティが解除されない場合には、防犯センサ１４１が作動する都度（Ｓ１０４）、写真の撮影を繰り返す（Ｓ１０７）。尚、正当なユーザが本セキュリティシステム１の作動中にドアを開くような場合には、サーバ２０が、異常信号が発生した旨のメールを送信する前に、認証ユニット１３４により留守設定を解除できるため（ステップＳ１０５からステップＳ１０６）、ユーザに異常信号が発生した旨のメールが送信されることはない。この場合、サーバ２０は、正当な利用者によりセキュリティが解除された旨、すなわち、利用者の一人が帰宅した旨を報告するメールを送信することができる。
【００６９】
次に、異常を検知したことをユーザに報告するときの手順について説明する。図１２は異常を検知した場合にサーバ２０からユーザに送られるメール表示例である。図示されているように、メールにはユーザの氏名及び異常確認時間が表示されている。そして、どのような異常であったかを示すメッセージ、例えば、「玄関ドアセンサの異常が確認されました。」（図１２（ａ））、あるいは「侵入者が確認されました。」（図１２（ｂ））が表示される。そのほか、「警備業者に連絡メールを送信しました。他の緊急連絡先の電話番号は０３−１２３４−ｘｘｘｘです。」などとあらかじめ決められた対応をすることも可能である。尚、メールの代わりに自動音声案内によってユーザの携帯端末機３０、４０に対して電話をかけるようにしてもよい。
【００７０】
次に、環境データの異常を検知した場合の手順について説明する。環境測定センサ１４１からコントローラ１１に送信される温度、湿度等の環境データは、サーバ２０に送られる。それらのデータは例えば１秒毎にサンプリングすることが可能であり、サーバ２０は、その変動値の差分（Δ：デルタ）を計算し、その変動率を常時監視している。この変動率があらかじめ設定された値から外れた場合には、サーバ２０は異常発生の初期段階と認識して、その旨を報告するメールを作成し、ユーザの携帯端末機３０に送信する。例えば、温度の変動率の異常は、火災もしくはそれに準ずる何らかのステータス異常と推測される。この差分（Δ）と変動率の計算機能により、異常発生の早期検知が可能となっている。
【００７１】
図１４はエアコンの制御を行う例を示している。ここでは、エアコンは稼動状態になっており、ユーザはこれまで説明したように携帯端末機３０で使用電力量を確認し、エアコンの停止設定を行うことができる。また、エアコンが停止状態の場合には、エアコンの稼動設定を行うことができる。これにより、例えば、所定の環境の下での保管を必要とする商品を保管する倉庫等において室内温度が異常に高温となったり、湿度が高くなったような場合に、エアコンに対するオンデマンドでの制御を行なうことができる。さらに、エアコンの停止、稼動の時刻を指定したり、５分後、１０分後などと稼動、停止までの時間を指定するなど、予め予約したスケジュールに基づいて電気機器１３ａ、１３ｂを制御することができる。
【産業上の利用可能性】
【００７２】
以上のように、本発明に係る省電力機能を備えたセキュリティシステムは、ユーザの業務用施設や住宅等の不正侵入者の検知を行う防犯セキュリティの分野において利用される。また、ユーザの業務用施設や住宅等に設置された設備、電気機器等の動作状況、使用電力量の監視や制御を行い、省電力機能により、ユーザに省コスト（ランニング費用）を提供する分野で利用され、省エネによる二酸化炭素削減に貢献する。
【図面の簡単な説明】
【００７３】
【図１】本発明に係るセキュリティシステムの一実施形態の全体の概要を図示した図である。
【図２】家庭内ネットワークを概念的に示す図である。
【図３】コントローラの構成概要を示す概念図である。
【図４】サーバの概要を示す概念図である。
【図５】本発明に係るセキュリティシステムの一実施形態の全体の動作の概要を示すフローチャートである。
【図６】（ａ）はユーザ認証を行うときの画面例を示す図、（ｂ）はユーザ認証が成功した場合に表示される画面例を示す図である。
【図７】携帯端末機の画面に表示される画面例である。
【図８】サーバでユーザへの報告メールを作成して送信する手順を示すフローチャートである。
【図９】（ａ）は簡単な報告メールの例を示す図であり、（ｂ）は動作状況を細かく示した報告メールの例を示す図である。
【図１０】コントローラがサーバからのコマンドを受けてその指示に従って処理する手順を示すフローチャートである。
【図１１】家宅への侵入を検知して警告、または写真撮影を行うときの動作例を示すフローチャートである。
【図１２】（ａ）はサーバからユーザに送信するメールの例を示した図、（ｂ）は（ａ）とは異なる内容のメールの例を示した図である。
【図１３】電気機器を制御するための設定の画面例を示す図面である。
【符号の説明】
【００７４】
１０      家宅
１１      コントローラ
１１１      コントローラ入出力部
１１２      コントローラＩ／Ｏ制御部
１１３      コントローラ表示器
１１４      コントローラＣＰＵ
１１５      コントローラＲＡＭ
１１６      コントローラＲＯＭ
１２      ルータ
１３      ユニット群
１３ａ      電気機器
１３ｂ      電気機器
１３１      省電力ユニット
１３２      コントロールユニット
１３３      電力量計測ユニット
１３４      認証ユニット
１４      センサ群
１４１      環境測定センサ
１４２      防犯センサ（防災機器を含む）
１５      外部機器
２０      サーバ
２１      サーバ入出力部
２２      サーバ通信用インターフェース
２３      サーバ記憶装置
２３１      プログラム
２３１１      遠隔監視制御プログラム
２３１２      メールプログラム
２３１３      外部連携用プログラム
２３２      サーバデータベース
２３２１      ユーザ管理テーブル
２３２２      パスワード管理テーブル
２３２３      ＩＰ管理テーブル
２３２４      ＩＤ管理テーブル
２３２５      メーカ機器情報テーブル
２３２６      メール情報テーブル
２３２７      メッセージテーブル
２３２８      ウェブページ管理テーブル
２３３      ウェブコンテンツ
２３３１      ユーザ用ウェブページ
２３３２      管理者用ウェブページ
２４      サーバ表示器
２５      サーバＣＰＵ
２６      サーバＲＡＭ
２７      サーバＲＯＭ
３０      携帯端末機
３１      携帯端末機画面
４０      携帯端末機
５０      インターネット
６０      無線通信網
７１      ユーザの氏名
７２      家宅の簡単な住所
７３      確認日時
７４      現在状況
７５      現在状況
【図１】
2008077185.tif 000003
【図２】
2008077185.tif 000004
【図３】
2008077185.tif 000005
【図４】
2008077185.tif 000006
【図５】
2008077185.tif 000007
【図６】
2008077185.tif 000008
【図７】
2008077185.tif 000009
【図８】
2008077185.tif 000010
【図９】
2008077185.tif 000011
【図１０】
2008077185.tif 000012
【図１１】
2008077185.tif 000013
【図１２】
2008077185.tif 000014
【図１３】
2008077185.tif 000015
【手続補正書】
【提出日】平成19年3月28日(2007.3.28)
【手続補正１】
【補正対象書類名】特許請求の範囲
【補正対象項目名】全文
【補正方法】変更
【補正の内容】
【特許請求の範囲】
【請求項１】
業務用施設や住宅等の警備対象となる施設に配置され、第三者の侵入、ガス漏れ、火災といった当該施設内において発生した異常を検知するための異常検知センサと、
前記施設において使用される各種の電気機器に供給される電力量を計測する電力量計測ユニットと、
前記施設において使用される前記電気機器ごとに配置され、当該電気機器の動作を監視し制御する省電力制御ユニットと、
前記施設における前記電気機器の動作状況、警備状況、電力使用量情報といった各種の情報を前記異常検知センサ、前記電力量計測ユニット及び前記省電力制御ユニットから受け取り、それを通信回線を介して接続されたサーバに送信すると共に、前記電気機器に対する制御要求を前記サーバから受け取り、それに基づいて前記電力量計測ユニット及び前記省電力制御ユニットの動作を制御するコントローラと、
を含み構成されたことを特徴とする省電力機能を備えたセキュリティシステム。
【請求項２】
請求項１に記載の省電力機能を備えたセキュリティシステムにおいて、
さらに、温度や湿度といった当該施設内における室内環境を測定する環境測定センサを備え、
前記環境測定センサによって測定された環境測定情報は前記コントローラによって前記通信回線を介して前記サーバに送信されるようにされたことを特徴とする省電力機能を備えたセキュリティシステム。
【請求項３】
請求項１又は２に記載の省電力機能を備えたセキュリティシステムにおいて、
前記サーバは、前記コントローラから送られてきた、前記電気機器の動作状況、警備状況、電力使用量情報といった各種の情報をユーザの端末機器に対して提供する情報提供手段を備えていることを特徴とする省電力機能を備えたセキュリティシステム。
【請求項４】
請求項２又は３に記載の省電力機能を備えたセキュリティシステムにおいて、
前記サーバは、さらに、ユーザの前記端末機器によって監視対象である前記施設における前記電気機器の動作状況、警備状況、電力使用量情報、環境測定情報といった情報をウェブページ上で確認可能なウェブコンテンツを提供するウェブページ用データを格納したウェブサーバ機能を備えていることを特徴とする省電力制御機能を備えたセキュリティシステム。
【請求項５】
請求項４に記載の省電力機能を備えたセキュリティシステムにおいて、
前記電気機器に対する制御要求及び／又は電力使用量情報や環境測定情報の更新を前記サーバが提供するウェブページ上において行なうことができるようにされたことを特徴とする省電力制御機能を備えたセキュリティシステム。
【請求項６】
請求項１から５のいずれか１項に記載の省電力機能を備えたセキュリティシステムにおいて、
前記コントローラは、前記端末機器から前記サーバを介して送信されるユーザの指令に基づき、予め予約したスケジュールに基づいて前記省電力制御ユニットを動作させるスケジュール機能を備えていることを特徴とする省電力制御機能を備えたセキュリティシステム。
【請求項７】
請求項１から６のいずれか１項に記載の省電力機能を備えたセキュリティシステムにおいて、
前記コントローラは、前記端末機器から前記サーバを介して送信されるユーザの指令に基づいてオンデマンドで前記省電力制御ユニットを動作させることが可能とされたことを特徴とする省電力機能を備えたセキュリティシステム。
【請求項８】
請求項１から７のいずれか１項に記載の省電力機能を備えたセキュリティシステムにおいて、
前記コントローラは、警備の開始及び終了に伴って前記省電力制御ユニットを動作及び停止させるようにしたことを特徴とする省電力機能を備えたセキュリティシステム。
【請求項９】
請求項８に記載の省電力機能を備えたセキュリティシステムにおいて、
さらに、認証ユニットを備えて構成され、
前記認証ユニットは、ＩＤ及びパスワード等の認証情報によって警備の開始及び終了を制御する機能を有することを特徴とする省電力機能を備えたセキュリティシステム。
【請求項１０】
請求項１から９のいずれか１項に記載の省電力機能を備えたセキュリティシステムにおいて、
前記認証ユニットの認証情報により、さらに、当該施設内へ出入りする者の入退室の状況の管理を行うことを特徴とする省電力機能を備えたセキュリティシステム。
【請求項１１】
請求項１から１０のいずれか１項に記載の省電力機能を備えたセキュリティシステムにおいて、
前記異常検知センサが不審者の侵入を検知した場合には自動的に照明を点灯させ、不審者に対して警告するようにされたことを特徴とする省電力機能を備えたセキュリティシステム。
【手続補正２】
【補正対象書類名】明細書
【補正対象項目名】００１５
【補正方法】変更
【補正の内容】
【００１５】
サーバには各種のプログラムが格納されており、それらのプログラムの中には、施設内に設置された各種の電気機器の動作状況、使用電力量、警備状況等をユーザの携帯電話等の携帯端末機に知らせる機能を実現するプログラムが格納されている。具体的には、警備対象である施設に設置された異常検知センサが検知した侵入情報や異常情報をコントローラを介して受け取ったサーバは、ユーザの携帯電話等の端末機器にメールや自動音声案内等によってその内容を通報する。また、異常検知センサが異常を検知した場合や室内環境データが異常値を示したような場合にも同様の通報を行なう。
【手続補正３】
【補正対象書類名】明細書
【補正対象項目名】００２６
【補正方法】変更
【補正の内容】
【００２６】
上記課題を解決するために請求項１０に記載の本発明は、請求項１から９のいずれか１項に記載の省電力機能を備えたセキュリティシステムにおいて、認証ユニットの認証情報により、さらに、施設内へ出入りする者の入退室の状況の管理を行うことを特徴とする。
上記課題を解決するために請求項１１に記載の本発明は、請求項１から１０のいずれか１項に記載の省電力機能を備えたセキュリティシステムにおいて、異常検知センサが不審者の侵入を検知した場合には自動的に照明を点灯させ、不審者に対して警告するようにされたことを特徴とする。異常検知センサが不審者の侵入を検知した場合には自動的に照明を点灯させるようにして侵入者に警告するようにすると良い。